(57)【要約】【課題】脚立等の設置脚に装着して使用するアウトリガーにおいて、設置脚に対する取付位置の自由度を高くし、また操作も容易にする。また構造的な複雑化を招来させることがないままに必要に応じて大型化できるようにする。【解決手段】上部と下部とに離れて設けられる上下一対の揺動支点部７，９と、このうち上部側の揺動支点部７に対して下げ振り方向で揺動自在に保持された上脚部５と、この上脚部５に長手方向に沿って摺動自在に保持された下脚部６と、この下脚部６と下部側の揺動支点部９との間に両端部を揺動自在とさせて連結された開度設定リンク８とを有している。【選択図】図１ 
2005042507.tif 000002
【特許請求の範囲】
【請求項１】
上部と下部とに離れて設けられる上下一対の揺動支点部（７，９）と、このうち上部側の揺動支点部（７）に対して下げ振り方向で揺動自在に保持された上脚部（５）と、この上脚部（５）に長手方向に沿って摺動自在に保持された下脚部（６）と、この下脚部（６）と下部側の揺動支点部（９）との間に両端部を揺動自在とさせて連結された開度設定リンク（８）とを有していることを特徴とするアウトリガー。
【請求項２】
前記上脚部（５）には、この上脚部（５）に対して下脚部（６）を摺動させた位置付けをロック及びロック解除することのできる伸縮操作部（２０）が設けられていることを特徴とする請求項１記載のアウトリガー。
【請求項３】
前記伸縮操作部（２０）は上脚部（５）の下端部寄りに設けられていることを特徴とする請求項２記載のアウトリガー。
【請求項４】
前記下脚部（６）にはその長手方向に沿ってラックレール（３７）が設けられており前記上脚部（５）に設けられた伸縮操作部（２０）がラックレール（３７）に対して噛合可能なブレーキ片（２８）を具備しこのブレーキ片（２８）をラックレール（３７）へ接離可能になっていることを特徴とする請求項２又は請求項３記載のアウトリガー。
【請求項５】
前記伸縮操作部（２０）は、ブレーキ片（２８）に対してラックレール（３７）への噛合状態を付勢させるバネ部材（３０）と、ブレーキ片（２８）を上記バネ部材（３０）の付勢力に抗してラックレール（３７）から離反可能とさせる操作体（２９）とを有し、ブレーキ片（２８）は操作体（２９）へ操作力を加えない限りラックレール（３７）への噛合状態が保持されることを特徴とする請求項４記載のアウトリガー。
【請求項６】
設置脚（３）を有し、この設置脚（３）の側面に対し請求項１乃至請求項５の何れかにに記載されたアウトリガー（１）がその上下の揺動支点部（７，９）を介して設けられており、上部揺動支点部（７）を支点として上脚部（５）を開くときにこの上脚部（５）からの下脚部（６）の延び出しが下部揺動支点部（９）を支点とした開度設定リンク（８）の揺動軌跡上で規制される構造になっていることを特徴とするアウトリガー装着体。
【発明の詳細な説明】
【技術分野】
【０００１】
本発明は、アウトリガー及びアウトリガー装着体に関するものである。
【背景技術】
【０００２】
脚立や梯子、作業台など（以下、単に「脚立等」と言う）に対し、その使用時における横揺れや転倒を防止して安定性を高めさせるために装着するアウトリガーは知られている（例えば、特許文献１乃至３等参照）。これらのアウトリガーは、脚立等の設置脚に対してその左右両側方へ向けて斜めに張り出させるように設け、接地面との間で突っ張らせて用いる。
一方、従来、図１０に示すようなアウトリガー１００も知られている。このアウトリガー１００は、脚立等の設置脚１０１に面接触状に取り付けるレール１０２と、このレール１０２に沿って移動自在に保持されたスライダ１０３と、このスライダ１０３に揺動自在に連結された脚部材１０４と、この脚部材１０４とレール１０２との間に連結されたリンク１０５とを有している。スライダ１０３にはレール１０２に対して摺動させた後、その位置付けをロックしたりロック解除したりするレバー操作部１０６が設けられている。このレバー操作部１０６は、スライダ１０３の上部側に設けられていたが、アウトリガー１００の不使用時においてレール１０２と脚部材１０４とを並行させ、密接状態にさせたときにはスライダ１０３がレール１０２の上端部に位置付けられることから、レバー操作部１０６もレール１０２の上端部（最上位置）に位置付けられることになる。
【０００３】
すなわちこのアウトリガー１００では、脚立等においてその設置脚１０１を設置した後、最上位置で待機するレバー操作部１０６をロック解除操作し、そのままスライダ１０３をレール１０２に沿わせて下方へ摺動させてゆき、脚部材１０４の下端が接地するところでスライダ１０３を停止させ、この状態を保持させながらレバー操作部１０６をロック操作するといった使い方をするものであった。そのため、使用状況に応じて、脚部材１０１を斜めに張り出させる角度変更ができるので、脚立等を設置しようとする接地面が平坦でない場合などでも、使用可能であった。
【特許文献１】特開平１０−１９６２５９号公報
【特許文献２】特開２００２−１９４９８１号公報
【特許文献３】特開２００３−１７２０８４号公報
【発明の開示】
【発明が解決しようとする課題】
【０００４】
図１０に示したアウトリガー１００では、脚立等の設置脚１０１に対してレール１０２を面接触状態で取り付ける必要があったので、設置脚１０１側にリベットやボルト等による突起、又は補強リブや装飾のための凹凸があった場合にはレール１０２の取り付けができないか、或いはレール１０２の取付位置が脚立等の設置脚１０１の上下方向で制限されてしまうということがあった。
なお、レール１０２と脚部材１０４との間を連結しているリンク１０５はスライダ１０３の摺動に伴って上下揺動するが、レール１０２に対してはその下端部寄りで連結され、この位置は不変であることから、レール１０２の取付位置が設置脚１０１のかなり上の方になってしまう場合では、脚部材１０４の下端部を接地させたときにリンク１０５がこの脚部材１０４を設置脚１０１側へ引き込むことになってしまい、そのために脚部材１０４は斜め方向への張り出しが不足し、結果としてアウトリガー１００としての効果不足をもたらすこともあった。
【０００５】
更に、脚立等の設置脚１０１に対するレール１０２の取付位置が上位置とされたり下位置とされたりするときには、これに付随するかたちでレバー操作部１０６の位置付けも上下するが、上記したようにレバー操作部１０６はレール１０２の上端部（最上位置）に設けられていることから、場合によってはこのレバー操作部１０６の使い勝手が非常に悪くなることもあった。
一方、脚部材１０４を開いたり閉じたりさせるため、レール１０２に沿ってスライダ１０３を摺動させるには、上記したようにレバー操作部１０６はロック解除操作をしたままの状態にする。すなわち、スライダ１０３の摺動前と摺動後との２回にわけてレバー操作部１０６をロック解除操作したりロック操作したりする必要があり、これが面倒であるということがあった。
【０００６】
本発明は、上記事情に鑑みてなされたものであって、脚立等の設置脚に対する取付位置の自由度が高く、操作が容易であり、また構造的な複雑化を招来させることがないままに必要に応じて大型化することも可能であるアウトリガー及びアウトリガー装着体を提供することを目的とする。
【課題を解決するための手段】
【０００７】
前記目的を達成するために、本発明は次の手段を講じた。
即ち、本発明に係るアウトリガー１は、上部と下部とに離れて設けられる上下一対の揺動支点部７，９と、このうち上部側の揺動支点部７に対して下げ振り方向で揺動自在に保持された上脚部５と、この上脚部５に長手方向に沿って摺動自在に保持された下脚部６と、この下脚部６と下部側の揺動支点部９との間に両端部を揺動自在とさせて連結された開度設定リンク８とを有している。
このように上部の揺動支点部７と下部の揺動支点部９とは、上下に離れて設けられたものであり、脚立等の設置脚３に対してそれぞれを取り付ける場合に、それらの相対的な位置関係は何ら制限されるものではない。また、これら上部揺動支点部７も下部揺動支点部９も、設置脚３に対する取付面積を小さく抑えることができることから、設置脚３に対して突起や凹凸があったとしても、これらとの干渉を回避させることが容易となっている。これらのことから、脚立等の設置脚３に対する取付位置の自由度が高くなっている。
【０００８】
上脚部５には、この上脚部５に対して下脚部６を摺動させた位置付けをロック及びロック解除することのできる伸縮操作部２０を設けておけばよい。この場合、伸縮操作部２０は上脚部５の下端部寄りに設けておくのが好適となる。このように上脚部５に対して伸縮操作部２０を設けることで、使用者にとって目に付きやすくまた操作が容易となる。
下脚部６に対しその長手方向に沿ってラックレール３７を設けると共に、上脚部５に設けられた伸縮操作部２０として、下脚部６のラックレール３７に噛合可能なブレーキ片２８を具備したものさせてこのブレーキ片２８をラックレール３７に接離可能にする。また伸縮操作部２０は、ブレーキ片２８に対してラックレール３７への噛合状態を付勢させるバネ部材３０と、ブレーキ片２８を上記バネ部材３０の付勢力に抗してラックレール３７から離反可能とさせる操作体２９とを有したものとすればよい。従って、ブレーキ片２８は操作体２９へ操作力を加えない限りラックレール３７への噛合状態が保持される。
【０００９】
このような構造を採用することで、構造の簡潔化が図れ、また伸縮操作部２０を一旦操作するだけで、上脚部５に対する下脚部６の摺動、上脚部５の開動、下脚部６の摺動後状態のロックができるものとなり、操作が容易且つ迅速に行えるものとなる。
一方、本発明に係るアウトリガー装着体２は、脚立や梯子、作業台など、設置脚３を有したものであって、この設置脚３の側面に対して本発明に係るアウトリガー１が設けられている。このアウトリガー１は、設置脚３に対し上下の揺動支点部７，９を介して設けられており、上部揺動支点部７を支点として上脚部５を開くときにこの上脚部５からの下脚部６の延び出しが下部揺動支点部９を支点とした開度設定リンク８の揺動軌跡上で規制される構造になっている。
【発明の効果】
【００１０】
本発明に係るアウトリガーでは、脚立等の設置脚３に対する取付位置の自由度が高く、操作が容易になる。また構造的な複雑化を招来させることがないままに必要に応じて大型化することが可能になる。また本発明に係るアウトリガー装着体（脚立等）では、横揺れや転倒のない安定した使用が可能であり、またアウトリガーの設置が容易且つ迅速に行える。
【発明を実施するための最良の形態】
【００１１】
以下、本発明の実施の形態を、図面に基づき説明する。
図１は、本発明に係るアウトリガー１の一実施形態を装着して成るアウトリガー装着体２を示している。図例のアウトリガー装着体２は脚立としてあり、左右の設置脚３を一対としてこれが前後に二対あり、左右で対を成す設置脚３の相互間には上下複数段のステップ４が設けられている。そして、前後いずれかで左右対となった設置脚３に対して、それらの両外向きとなる側面にそれぞれアウトリガー１が装着されている。
このアウトリガー１は上脚部５と下脚部６とを有している。上脚部５には上部揺動支点部７が設けられている。下脚部６には開度設定リンク８が連結され、この開度設定リンク８の先端に下部揺動支点部９が設けられている。上部揺動支点部７と下部揺動支点部９とは互いに上部と下部とに離れて設けられる。
【００１２】
図２乃至図４に示すように、上脚部５は角パイプ素材により形成されている。これに対して下脚部６は断面コ字状のチャンネル素材により形成されている。いずれも材質はアルミ合金等とすればよい。上脚部５と下脚部６とは、上脚部５内に下脚部６がガタツキなく挿入可能で且つ摺動自在となる寸法関係を有している。上脚部５においてその下端寄りとなる位置の内部には、パイプ内方へ突出する状態でストッパ受け１５が設けられており、下脚部６にはその上端部となる位置の内部にローラ型のストッパ１６が設けられている。従って、上脚部５から下脚部６を引き出す向きに摺動させた場合、上脚部５のストッパ受け１５に下脚部６のストッパ１６が当接してそれ以上の摺動を阻止し、もって上脚部５から下脚部６が脱出してしまうのを防いでいる。なお、上脚部５のストッパ受け１５は、後述する操作プレート２１に対して設けられたもので（図６参照）、この操作プレート２１を介して上脚部５に固定されている。
【００１３】
上脚部５には伸縮操作部２０が設けられている。この伸縮操作部２０は上脚部５における下端部寄りの位置付けになっている。伸縮操作部２０は、アウトリガー装着体２の設置脚３に対して取り付ける操作プレート２１を基板として、その裏面に複数の部品を組み付けることで形成されている。図５に示すようにこの操作プレート２１の正面には、操作の方法を記した説明表示面２２が設けられ、この説明表示面２２の上部側にはロック状態であるかアンロック状態であるかを示す状態表示窓２３が設けられ、説明表示面２２の下部側には操作窓２４が設けられている。
【００１４】
図６及び図７に示すように、この操作プレート２１の裏面には貫通方向を前後へ向けた角形パイプ状のブラケット部材２７が固定状態とされ、このブラケット部材２７の内側にブレーキ片２８が前後摺動自在に収納されている。またこのブラケット部材２７の外側に縦長の枠形を呈した操作体２９が上下動自在な状態で嵌め付けられている。このブラケット部材２７の上部と操作体２９における枠内の天井面との間にはバネ部材３０が装填されており、操作体２９はブラケット部材２７に対して上方へ押し上げられる向きに付勢力を付与される。
【００１５】
ブラケット部材２７の左右の側壁には前後方向に長い第１カム孔３３が設けられており、操作体２９の左右の側板には前後方向及び上下方向の両方向成分を持って傾いた第２カム孔３４が設けられている。そしてブレーキ片２８の左右両外壁には、ブラケット部材２７に操作体２９を嵌め付け、且つブラケット部材２７にブレーキ片２８を組み込んだときに、ブラケット部材２７の第１カム孔３３と操作体２９の第２カム孔３４とが交差する位置でこれら両第１カム孔３３、３４を串刺し状に差し通す状態でカム軸３５が設けられる。なお、このようにブラケット部材２７（操作プレート２１の裏側）に操作体２９を嵌め込んだとき、操作プレート２１の操作窓２４からは操作体２９における下側の横板２９ａが見えている状態になっている（図２参照）。
【００１６】
従って、操作プレート２１の操作窓２４から指を差し入れ、指先で操作体２９の横板２９ａを下方へ押し下げるように操作することが可能である。この操作によって操作体２９が下方へ移動すると、斜めになっている第２カム孔３４がブレーキ片２８のカム軸３５に対して前後方向及び上下方向への押出力を同時に付与するが、操作体２９のカム軸３５はブラケット部材２７の第１カム孔３３によって前後方向への移動しか許容されないため、結果としてカム軸３５はブレーキ片２８に前後方向の押出力だけを推進力として伝え、ブレーキ片２８が前方向へ向けて移動することになる。
【００１７】
操作体２９がバネ部材３０によって上方へ押し上げる付勢力を受けているため、操作体２９の横板２９ａを押し下げる操作を止めれば、操作体２９は上方へ向けて復帰動する。従って、ブレーキ片２８は図６（Ｂ）に示すように後方（図中右側）へ突出した状態になり、結果として操作体２９を操作していないとき、ブレーキ片２８はこの後方突出状態がバネ部材３０によって維持されることになっている。ブレーキ片２８がこのように後方突出しているとき、このブレーキ片２８の後端部は図３に示したように下脚部６の内底部に当接して、上脚部５に対する下脚部６のブレーキ力を生起させる。
【００１８】
このことから明らかなように、操作体２９を押し下げる操作によりブレーキ片２８は図６（Ａ）に示すように前方（図中左側）へ移動することになる。従って、ブレーキ片２８の後端部は下脚部６の内底部から離れ、上脚部５に対する下脚部６のブレーキ力も解除されることになる。
ブレーキ片２８の後端部が下脚部６の内底部に当接したときに生起するブレーキ力を高めるため、下脚部６の内部にはその長手方向に沿ってラックレール３７が設けられている。またブレーキ片２８の後端部には、ラックレール３７に対して噛合可能なラック歯列３８が設けられている。これらラックレール３７とラック歯列３８とが噛合することで上脚部５に対する下脚部６の滑りの無いブレーキ力が生起することになるので、上脚部５に対する下脚部６の位置付けも、このラックレール３７やラック歯列３８の細かな歯ピッチに応じて微調節できるものである。
【００１９】
図７に示したように操作体２９の上部にはＬ字状に折曲された表示片４０が設けられる。この表示片４０の正面は、上半部がアンロック状態を示すアンロック表示面４０ａとされ、例えば赤色になっており、下半部がロック状態を示すロック表示面４０ｂとされ、例えば青色になっている。そして、図６（Ｂ）に示したように操作体２９が非操作時（ブレーキ片２８のブレーキ力生起時）にあって上方停止しているときには、操作プレート２１の状態表示窓２３からロック表示面４０ｂが露呈し、図６（Ａ）に示したように操作体２９が操作時（ブレーキ片２８のブレーキ力解除時）にあって下方移動したときには、操作プレート２１の状態表示窓２３からアンロック表示面４０ａが露呈して、それぞれ使用者にロックの状態を知らせる。
【００２０】
図８に示すように上部揺動支点部７は、上脚部５の上端部を左右方向で串刺し状に貫通させた揺動軸４４により、上脚部５を下げ振り方向で揺動自在に保持させるものである。本実施形態では、揺動軸４４にボルトを利用し、これをコ字状のブラケット４５で両端支持させる構造としてある。ブラケット４５をタッピングネジやボルト・ナット等によってアウトリガー装着体２の設置脚３へネジ止めすればよい。
図９に示すように開度設定リンク８は、下脚部６の長手方向中間位置に一端部が揺動自在に連結され、その他端部に下部揺動支点部９が揺動自在に連結される。本実施形態では、スチール製の丸棒材を素材としてその両端部をＬ字状に直角に曲げ、これら曲げた部分をそれぞれ連結用端部８ａ,８ｂとすることで開度設定リンク８を形成させてある。なお、開度設定リンク８と下脚部６との連結は、一方の連結用端部８ａを下脚部６に対してその左右方向へ串刺し状に差し通し、割りピン等の抜け止め手段４７を施してある。また下部揺動支点部９は、開度設定リンク８の他方の連結用端部８ｂを上下揺動自在に保持させるもので、本実施形態では、コ字状のブラケット４８に対してその左右方向へ連結用端部８ｂを串刺し状に差し通し、割りピン等の抜け止め手段４９を施すものとしてある。このブラケット４８をタッピングネジやボルト・ナット等によってアウトリガー装着体２の設置脚３へネジ止めすればよい。
【００２１】
アウトリガー装着体２（図１参照）の設置脚３にアウトリガー１を取り付けるに際し、アウトリガー１では上部揺動支点部７と下部揺動支点部９とが上下に離れて設けられているので、それぞれの相対的な位置関係は何ら制限されるものではない。また、これら上部揺動支点部７も下部揺動支点部９も、設置脚３に対する取付面積が小さいので、設置脚３にリベットやボルト等による突起、又は補強リブや装飾のための凹凸があったとしても、これらとの干渉を回避させることが容易である。そのため、設置脚３に対する取付位置の自由度が高くなっている。例えば、伸縮操作部２０が上脚部５の下端寄りに位置付けられているので、この伸縮操作部２０の高さを基準として（伸縮操作部２０が目に付きやすく且つ操作しやすい位置に合わせるようにして）、設置脚３に対するアウトリガー１の取付位置を決定するということができる。
【００２２】
なお、下脚部６の下端部には接地座５０がユニバーサルジョイント構造を介して連結されている。
このような構成のアウトリガー装着体２では、設置脚３を設置した後、伸縮操作部２０の操作体２９を押し下げ方向へ操作しながら、そのまま上部揺動支点部７を支点として上脚部５を開いてゆく。すると、この上脚部５から下脚部６が自重で下方へ延び出すが、このとき、下脚部６と開度設定リンク８との連結位置が下部揺動支点部９を支点とした開度設定リンク８の揺動軌跡上で規制されるようになるため、下脚部６の延び出しは上脚部５の開度を大きくさせるのと連動するようになり、やがて下脚部６の下端部が接地の状態に至る。従って、下脚部６は、接地面が平坦であるか否かに影響されることなく、ともかく接地面に達するまで延び出しを続けることになる。すなわち、確実に、接地面に接地することになり、しかも接地面レベル（起伏や段差等の有無）に応じて、上脚部５（アウトリガー１全体）としての開度が拡縮することになる。下脚部６が所定長さ延びきったところで伸縮操作部２０の操作体２９を放せば、自動的にロック状態になる。
【００２３】
アウトリガー装着体２を撤去する場合は、アウトリガー１の伸縮操作部２０の操作体２９を押し下げ方向へ操作しながら、そのまま下脚部６を上脚部５側へ引き上げるようにするだけである（このとき開度設定リンク８に手を掛けてこれを上方へ揺動させるようにすると容易である）。
本発明は、上記実施形態に限定されるものではなく、実施の形態に応じて適宜変更可能である。
【図面の簡単な説明】
【００２４】
【図１】本発明に係るアウトリガー装着体の一実施形態を示した側面図である。
【図２】アウトリガーの一部（伸縮操作部周辺）を拡大して示した正面図である。
【図３】図２のＡ−Ａ線断面図である。
【図４】図２のＢ−Ｂ線拡大図である。
【図５】図２中の一部（操作プレート）を示す拡大図である。
【図６】伸縮操作部の動作状況を示した側面図である。
【図７】伸縮操作部の分解斜視図である。
【図８】上部揺動支点部の分解斜視図である。
【図９】開度設定リンク及び下部揺動支点部の分解斜視図である。
【図１０】従来のアウトリガーを脚立に装着した状況を示した側面図である。
【符号の説明】
【００２５】
１  アウトリガー
２  アウトリガー装着体
３  設置脚
５  上脚部
６  下脚部
７  上部揺動支点部
８  開度設定リンク
９  下部揺動支点部
２０  伸縮操作部
２８  ブレーキ片
２９  操作体
３０  バネ部材
３７  ラックレール
【図１】
2005042507.tif 000003
【図２】
2005042507.tif 000004
【図３】
2005042507.tif 000005
【図４】
2005042507.tif 000006
【図５】
2005042507.tif 000007
【図６】
2005042507.tif 000008
【図７】
2005042507.tif 000009
【図８】
2005042507.tif 000010
【図９】
2005042507.tif 000011
【図１０】
2005042507.tif 000012